(57)【要約】【課題】  マイナスイオンを充分に拡散することができるマイナスイオン発生装置を提供すること。【解決手段】  放電電極１０１とグランド電極１０２とからなるマイナスイオン発生部１０３に対して、軸１０４ａに取り付けられている羽１０４ｂの周囲に軸１０４ａと同心となるように円筒１０６を設けたサーキュレーター１０８から渦巻き状の空気を当てるようにしたことを特徴とするマイナスイオン発生装置１００を提供する。【選択図】    図１
2005071738.tif 000002
【特許請求の範囲】
【請求項１】
少なくともマイナスイオンを発生させるマイナスイオン発生部を有するマイナスイオン発生装置であって、
前記マイナスイオン発生部の方向に渦巻き状の空気を送り出すサーキュレーターを備えたことを特徴とするマイナスイオン発生装置。
【請求項２】
前記サーキュレーターは、軸を中心として羽を回転させることにより風を起こすファンの周囲に、両端を開放した円筒を前記軸と同心となるように配置することにより形成されていることを特徴とする請求項１に記載のマイナスイオン発生装置。
【請求項３】
前記マイナスイオン発生部は、放電電極と、前記放電電極から所定の距離を離して設けられているグランド電極と、からなり、前記放電電極と前記グランド電極との間でコロナ放電を生じさせるものであることを特徴とする請求項１又は２に記載のマイナスイオン発生装置。
【請求項４】
前記放電電極には、前記グランド電極に向かって延びる放電針が少なくとも一つ以上形成されており、
前記グランド電極には、前記放電針に対向する位置に貫通孔が形成されおり、
前記放電針の先端と前記グランド電極との間には、所定の間隔が空いていることを特徴等する請求項３に記載のマイナスイオン発生装置。
【請求項５】
前記マイナスイオン発生部は、針状のマイナス電極に、パルス性電圧を印加することにより電子を放出するものであることを特徴とする請求項１又は２に記載のマイナスイオン発生装置。
【請求項６】
前記サーキュレーターは、軸を中心として羽を回転させることにより風を起こすファンの周囲に、両端を開放した円筒を前記軸と同心となるように配置することにより形成されており、
前記マイナスイオン発生部は、放電電極と、前記放電電極から所定の距離を離して設けられている板状のグランド電極と、からなり、前記放電電極と前記グランド電極との間でコロナ放電を生じさせるものであり、
前記ファンの回転面積は、前記グランド電極の面積の三分の一以上三分の二以下であることを特徴とする請求項１に記載のマイナスイオン発生装置。
【請求項７】
前記サーキュレーターは、軸を中心として羽を回転させることにより風を起こすファンの周囲に、両端を開放した円筒を前記軸と同心となるように配置することにより形成されており、
前記マイナスイオン発生部は、放電電極と、前記放電電極から所定の距離を離して設けられ、一辺が他辺よりも長い矩形状に形成されている板状のグランド電極と、からなり、前記放電電極と前記グランド電極との間でコロナ放電を生じさせるものであり、
前記ファンの回転直径は、前記グランド電極の前記一辺の長さの三分の一以上三分の二以下であることを特徴とする請求項１に記載のマイナスイオン発生装置。
【請求項８】
前記放電電極には、前記グランド電極に向かって延びる放電針が少なくとも一つ以上形成されており、
前記グランド電極には、前記放電針に対向する位置に貫通孔が形成されおり、
前記放電針の先端と前記グランド電極との間には、所定の間隔が空いていることを特徴等する請求項６又は７に記載のマイナスイオン発生装置。
【発明の詳細な説明】
【技術分野】
【０００１】
本発明は、マイナスイオン発生装置に関する。
【背景技術】
【０００２】
従来のマイナスイオン発生装置としては、例えば、特許文献１に記載された空気清浄器があった。
【０００３】
図３に表されているように、特許文献１に記載された空気清浄器５００は、放電素子５０１によりマイナスイオンを発生させ、このマイナスイオンをファン５０２により起こされた風により拡散するようにしていた。
【０００４】
そして、ファン５０２については、マイナスイオンを発生させる放電素子５０１の全面に風が当たるように、比較的大型のものが用いられていた。
【特許文献１】特開２００１−２７６１９２号公報
【発明の開示】
【発明が解決しようとする課題】
【０００５】
しかしながら、従来のように、マイナスイオンを発生する部位に単にファンにより風を当てただけでは、プラスイオンとの中和や筐体による吸着現象等により、マイナスイオンを充分に拡散することができなかった。
【０００６】
そこで、本発明は、マイナスイオンを充分に拡散することができるマイナスイオン発生装置を提供することを目的とする。
【課題を解決するための手段】
【０００７】
以上の課題を解決するため、本発明は、少なくともマイナスイオンを発生させるマイナスイオン発生部を有するマイナスイオン発生装置であって、前記マイナスイオン発生部の方向に渦巻き状の空気を送り出すサーキュレーターを備えたことを特徴とするマイナスイオン発生装置を提供する。
【０００８】
このように、渦巻き状の空気をマイナスイオン発生部に当てることにより、マイナスイオン発生部から生じたマイナスイオンに対して、渦巻きの中心方向に向心力が働くため、マイナスイオン発生部から生じたマイナスイオンが筐体に吸着してしまうことがなくなる。
【０００９】
ここで、サーキュレーターとしては、軸を中心として羽を回転させることにより風を起こすファンの周囲に、両端を開放した円筒を前記軸と同心となるように配置することにより、渦巻き状の空気を発生させることができるようになる。
【００１０】
マイナスイオン発生部としては、マイナスイオンを発生させることができるものであればどのようなものであっても良いが、例えば、放電電極と、この放電電極から所定の距離を離して設けられているグランド電極と、からなり、これらの放電電極とグランド電極との間でコロナ放電を生じさせるものを使用することができる。
【００１１】
このように、マイナスイオン発生部として、放電電極とグランド電極との間でコロナ放電を生じさせるものを用いる場合には、放電電極には、グランド電極に向かって延びる放電針を少なくとも一つ以上形成しておき、このグランド電極には、放電針に対向する位置に貫通孔を形成しておき、放電針の先端とグランド電極との間には、所定の間隔が空くようにしていることで、コロナ放電が生じやすくなる。
【００１２】
また、マイナスイオン発生部としては、針状のマイナス電極に、パルス性電圧を印加することにより電子を放出するものを用いることができる。
【００１３】
ここで、サーキュレーターとして、軸を中心として羽を回転させることにより風を起こすファンの周囲に、両端を開放した円筒を前記軸と同心となるように配置することにより形成されたものを使用し、また、マイナスイオン発生部として、放電電極と、この放電電極から所定の距離を離して設けられている板状のグランド電極と、からなり、放電電極とグランド電極との間でコロナ放電を生じさせるものを使用する場合には、サーキュレーターのファンの回転面積が、グランド電極の面積の三分の一以上三分の二以下とすることにより、マイナスイオン発生部で生じたマイナスイオンが筐体に吸着されずに効率的に拡散されることができる。
【００１４】
また、サーキュレーターとして、軸を中心として羽を回転させることにより風を起こすファンの周囲に、両端を開放した円筒を前記軸と同心となるように配置することにより形成されたものを使用し、また、マイナスイオン発生部として、放電電極と、この放電電極から所定の距離を離して設けられており、一辺が他辺よりも長い矩形状に形成された板状のグランド電極と、からなり、放電電極とグランド電極との間でコロナ放電を生じさせるものを使用する場合には、ファンの回転直径が、グランド電極の長い方の一辺の長さの三分の一以上三分の二以下とすることで、マイナスイオン発生部で生じたマイナスイオンが筐体に吸着されずに効率的に拡散されることができる。
【００１５】
ここで、上述のように、サーキュレーターのファンの回転面積が、グランド電極の面積の三分の一以上三分の二以下とする場合やファンの回転直径が、グランド電極の一辺の長さの三分の一以上三分の二以下とする場合でも、放電電極には、グランド電極に向かって延びる放電針が少なくとも一つ以上形成されており、グランド電極には、放電針に対向する位置に貫通孔が形成されおり、放電針の先端とグランド電極との間には、所定の間隔が空いているようにすることで、効率的にマイナスイオンを発生させることができる。
【発明の効果】
【００１６】
以上のように、本発明を構成したので、マイナスイオン発生部で発生したマイナスイオンを充分に拡散することができるようになる。
【発明を実施するための最良の形態】
【００１７】
図１は、本発明の第一の実施形態に係るマイナスイオン発生装置１００の概略構成図である。
【００１８】
マイナスイオン発生装置１００は、放電電極１０１及びグランド電極１０２からなるマイナスイオン発生部１０３と、軸１０４ａ及び羽１０４ｂからなるファン１０４、円筒１０６並びにモーター１０７からなるサーキュレーター１０８と、電源１０９と、により構成されている。
【００１９】
放電電極１０１には、グランド電極１０２に向かって延びる放電針１０１ａが形成されており、この放電針１０１ａの先端と後述するグランド電極１０２との間には所定の間隔Ｘが空いていることで、これらの放電針１０１ａとグランド電極１０２との間でコロナ放電が生じるようにされている。
【００２０】
なお、放電針１０１ａの先端とグランド電極１０２との間の間隔Ｘは、これらの間でコロナ放電を生ずることができる範囲で適時選択することができる設計事項である。
【００２１】
また、放電電極１０１は、電源１０９と接続されており、電源１０９により電力が供給されている。
【００２２】
なお、放電電極１０１に供給する電力については、放電電極１０１とグランド電極１０２との間でコロナ放電を生ずることができる範囲で適時選択することができる設計事項である。
【００２３】
グランド電極１０２は、板状に形成されており、本実施形態においては、横幅Ｙ及び縦幅Ｚが同じくなるようにされているが、これに限定されるわけではない。
【００２４】
また、グランド電極１０２には、放電電極１０１の放電針１０１ａを中心とする円形に貫通孔１１０が設けられている。
【００２５】
これは、放電電極１０１とグランド電極１０２との間で生じたマイナスイオンをサーキュレーター１０８によって送り出された空気により拡散されるための通り道を確保するためである。
【００２６】
したがって、貫通孔１１０の大きさ・形状については、サーキュレーター１０８から送り出される空気の通り道を確保するという目的を達成できる範囲で、自由に設計することができる。
【００２７】
以上のように形成される放電電極１０１とグランド電極１０２との間に、電源１０９により電圧を印加することにより、これらの間でコロナ放電が発生し、コロナ放電により放電電極１０１からグランド電極１０２に向けて電子が拡散されることで、放電電極１０１とグランド電極１０２との間の気体分子や微粒子に電子が飛び込み、マイナスイオンが発生する。
【００２８】
なお、放電針１０１ａの数及び貫通孔１１０の数については、適時選択することができる設計事項である。
【００２９】
この点、放電針１０１ａの数を増やせば増やすほどマイナスイオンは多く発生するが、その分、電源１０９から多くの電力を供給しなければならなくなる。
【００３０】
放電電極１０１とグランド電極１０２とにより構成されているマイナスイオン発生部１０３に向かって渦巻き状の空気を送るサーキュレーター１０８は、軸１０４ａ及び羽１０４ｂからなるファン１０４と、円筒１０６及びモーター１０７により構成されている。
【００３１】
軸１０４ａは、モーター１０７により回転するようにされており、この軸１０４ａが回転することにより、軸１０４ａの周りに取り付けられている羽１０４ｂも回転し、マイナスイオン発生部１０３の方向に風を送り出すことができるようにされている。
【００３２】
なお、本実施形態にけるファン１０４では、軸１０４ａの周りに四枚の羽１０４ｂが取り付けられているが、この枚数については適時選択することができる設計事項である。
【００３３】
ファン１０４の周囲には、軸１０４ａと同心となるように円筒１０６が設けられている。
【００３４】
この円筒１０６の両端１０６ａ、１０６ｂは開放端とされていることで、ファン１０４に空気を供給するとともに、ファン１０４により渦巻き状にされた空気がマイナスイオン発生部１０３の方向に送り出されるようにされている。
【００３５】
このような円筒１０６の内部でファン１０４の羽１０４ｂを回転させることにより、空気が渦巻き状になるとともに、ファン１０４により送り出される空気の直進性が高まる。
【００３６】
従って、マイナスイオン発生部１０３により発生されたマイナスイオンには、渦巻き状の空気により、渦巻きの中心方向に向かって向心力が働くとともに、直進性の高い空気により、直線的に運ばれるため、マイナスイオン発生部１０３の周囲の筐体（図示せず）等に吸着されずに、より遠くにまで運ばれるようになる。
【００３７】
ここで、サーキュレーター１０８により、渦巻き状で、かつ、直進性の高い空気を送り出したとしても、マイナスイオン発生部１０３の周囲の筐体との間に所定の間隔が空いていないと、この筐体にマイナスイオンが吸着されてしまう。
【００３８】
一方、マイナスイオン発生部１０３の周囲の筐体とサーキュレーター１０８との間の間隔が空きすぎると、マイナスイオン発生部１０３により発生させられたマイナスイオンを渦巻き状の空気流の中に充分に取り込むことができない。
【００３９】
この点、本願発明者が鋭意実験した結果によると、羽１０４ｂの回転面積が、グランド電極１０２の面積の三分の一以上三分の二以下である場合、すなわち、軸１０４ａの中心から羽１０４ｂの最外部までの長さをＡとし、下記の数１を満たす場合には、グランド電極１０２の周りの筐体にマイナスイオンが吸着されずに、渦巻き状の空気流の中にマイナスイオンを充分に取り込むことができることが判った。
【００４０】
【数１】
2005071738.tif 000003
従って、羽１０４ｂとグランド電極１０２とをこのような条件が成り立つように設計する。
【００４１】
なお、以上に記載した実施形態では、グランド電極１０２を正方形に形成したが、このような形状に限定されるわけではなく、長方形や円形、楕円形等であっても良い。
【００４２】
図２は、本発明の第二の実施形態に係るマイナスイオン発生装置２００の概略構成図である。
【００４３】
本実施形態においては、第一の実施形態と比べて、マイナスイオン発生部２０３のみが異なっているため、以下この点についてのみ説明する。
【００４４】
本実施形態においても、マイナスイオン発生部２０３は、放電電極２０１とグランド電極２０２とにより構成されている。
【００４５】
ここで、本願第一の実施形態においては、グランド電極２０２の横幅Ｙと縦幅Ｚとを同じ長さにしたが、本実施形態においては、横幅Ｙが縦幅Ｚよりも大きくなるようにされており、これに合わせて、放電電極１０１の放電針１０１ａの数及びグランド電極２０２の貫通孔２１０の数も変更している。
【００４６】
この点、本願発明者が鋭意実験した結果によると、羽１０４ｂの回転直径が、グランド電極２０２の長い方の辺の長さ（本実施形態では、横幅Ｙ）の三分の一以上三分の二以下とすることにより、グランド電極１０２の周りの筐体にマイナスイオンが吸着されずに、渦巻き状の空気流の中にマイナスイオンを充分に取り込むことができることが判った。
【００４７】
すなわち、下記の数２の条件を満たすことにより、グランド電極１０２の周りの筐体にマイナスイオンが吸着されずに、渦巻き状の空気流の中にマイナスイオンを充分に取り込むことができることが判った。
【００４８】
【数２】
2005071738.tif 000004
なお、Ａは、第一の実施形態と同様、軸１０４ａの中心から羽１０４ｂの最外部までの長さである。
【００４９】
また、この数２の条件を満たし、かつ、第一の実施形態おける数１の条件を満たすようにすることも可能である。
【００５０】
以上に記載した実施形態におけるマイナスイオン発生部１０３、２０３は、放電電極１０１、２０１とグランド電極１０２、２０２とによりコロナ放電を生じさせることで、マイナスイオンを発生させるようにしているが、このようなものに限定されず、例えば、図示していないが、針状のマイナス電極に、パルス性電圧を印加することにより電子を放出するで、マイナスイオンを発生させるものであっても良い。
【図面の簡単な説明】
【００５１】
【図１】第一の実施形態に係るマイナスイオン発生装置１００の概略構成図。
【図２】第二の実施形態に係るマイナスイオン発生装置２００の概略構成図。
【図３】従来例に係る空気清浄器５００の縦断面図。
【符号の説明】
【００５２】
１００、２００  マイナスイオン発生装置
１０１、２０１  放電電極
１０２、２０２  グランド電極
１０３、２０３  マイナスイオン発生部
１０４ａ  軸
１０４ｂ  羽
１０４  ファン
１０６  円筒
１０７  モーター
１０８  サーキュレーター
１０９  電源
１１０、２１０  貫通孔
【図１】
2005071738.tif 000005
【図２】
2005071738.tif 000006
【図３】
2005071738.tif 000007